(57)【要約】【課題】  旅行や出張等に行った者から土産物をお土産としてもらった人達が、自分もその土産物を産する地域に旅行に行きたいという動機付けを持つようにすると共に、更にその旅行において、お土産としてもらった土産物と同じ土産物の購入を行いたいと思わせる動機付けを与えられるようにして、特定の土産物の販売促進と、その土産物を産する地域の観光客の増加を促進することができるようにした記録媒体付き土産物を提供する。【解決手段】  特定の地域の土産物と、前記土産物を梱包した包装体と、前記包装体内に収納された前記土産物に関する情報及び/または前記土産物を産する特定の地域に関する観光情報が記憶されている記録媒体と、を備えることを特徴とする。【選択図】        図2
2005225519.tif 000002
【特許請求の範囲】
【請求項１】
特定の地域の土産物と、
前記土産物を梱包した包装体と、
前記包装体内に収納された前記土産物に関する情報及び/または前記土産物を産する特定の地域に関する観光情報が記憶されている記録媒体と、
を備えることを特徴とする記録媒体付き土産物。
【請求項２】
前記記録媒体が、偏平状記録媒体であることを特徴とする請求項１記載の記録媒体付き土産物。
【請求項３】
前記偏平状記録媒体が、ＣＤ−ＲＯＭまたはＤＶＤであることを特徴とする請求項２記載の記録媒体付き土産物。
【発明の詳細な説明】
【技術分野】
【０００１】
本発明は、ＣＤ−ＲＯＭやＤＶＤなどの記録媒体を備えた記録媒体付き土産物に関する。
【背景技術】
【０００２】
従来、わが国では、プライベートな旅行のみならず、出張等においても、その旅行や出張先の地域（特定地域）の土産物を買ってくるという習慣がある。
このような土産物は、例えば、旅行先から自宅に帰った後に御近所に配ったり、また出張先から職場に帰った後に同じ部署の同僚などに配ったりするが、単に内容物である菓子等を周囲の人に配って終わりというものであり、面白みに欠け、また他の土産物との差別化も難しいものであった。
【０００３】
例えば、旅行や出張に行った者からお土産として土産物を受け取った人は、土産物が梱包された包装体の包装紙や、包装体内に入れてあるパンフレットなどに印刷されている土産物に関する情報や土産物を産する地域に関する情報を見たり読んだりすることで、その土産物がどのような由来によるものであるのかや、その地域の一部の風景を知ることになるが、これらの情報量は非常に少ないために、実際にはその土産物が食べてみて美味しかったか否かをいう感想だけで終わってしまう場合がほとんどである。
【０００４】
このようなことから、土産物の製造者や販売者や、その土産物の産地の観光業者にとっては、旅行者や出張者からお土産としてせっかく多くの人に土産物が配られたとしても、販売促進効果や観光促進に効果的につながらないという不満がある。
【０００５】
例えば、従来、このような販売促進に可能な手段として、土産物の紙箱を絵葉書と一体化する技術が上げられるが、先に述べたその包装紙や箱等の表面に印刷された情報により与える効果と大差がない。（例えば、特許文献１及び特許文献２参照）
【特許文献１】実開平６−８６９６５号公報
【特許文献２】特開平７−４３１２号公報
【０００６】
そこで、土産物を購入した人が、どのような動機でその土産物を購入したのかについて傾向を分析したところ、次のような結果となった。
まず、過去にその地域を訪れた際に、その土産物を購入して気に入った場合、次に、その土地を訪れた人からお土産としてその土産物を頂いて、賞味したところ気に入った場合、更に、過去にその地域を訪れた人から頼まれた場合、などがその土産物を購入する動機付けとなっていることが多いという傾向があることがわかった。
【０００７】
そこで、土産物の販売促進には、その土産物を分配された人達が同じ地域に旅行に行き、その地域で以前と同じ土産物を購入し、その土産物を周囲の人に分配することで、更に、その土産物を分配された人達がその後に同じ地域に旅行に行き、その地域で以前と同じ土産物を購入するという良好なサイクルをうまく図るようにすることが大切であることがわかった。
【０００８】
また、上記のような良好なサイクルを達成するためには、以下の課題を解決しなければならない。
まず、第１に、旅行先などでその土産物が容易に購入することができるという、従来からの土産物としての機能を損なうものであってはならない。
第２に、土産物を分配された人達に、その土産物の産する特定の地域を旅行してみたいという意欲を惹起させなければならない。
第３に、土産物を分配されることにより、その土産物等に対する愛着等の好印象を持つに至った人達を増やさなければならない。
【発明の開示】
【発明が解決しようとする課題】
【０００９】
本発明は、上記のような観点から、旅行や出張等に行った者から土産物をお土産としてもらった人達が、自分もその土産物を産する地域に旅行に行きたいという動機付けを持つようにすると共に、更にその旅行において、お土産としてもらった土産物と同じ土産物の購入を行いたいと思わせる動機付けを与えられるようにして、特定の土産物の販売促進と、その土産物を産する地域の観光客の増加を促進することができるようにした記録媒体付き土産物を提供する。
【課題を解決するための手段】
【００１０】
本発明の記録媒体付き土産物は、特定の地域の土産物と、前記土産物を梱包した包装体と、前記包装体内に収納された前記土産物に関する情報及び/または前記土産物を産する特定の地域に関する観光情報が記憶されている記録媒体と、を備えることを特徴とする。
【００１１】
本発明の記録媒体付き土産物は、前記記録媒体が、偏平状記録媒体であることを特徴とする。
【００１２】
本発明の記録媒体付き土産物は、前記偏平状記録媒体が、ＣＤ−ＲＯＭまたはＤＶＤであることを特徴とする。
【発明の効果】
【００１３】
本発明の記録媒体付き土産物は、土産物を梱包した包装体に、土産物に関する情報及び/または前記土産物を産する特定の地域に関する観光情報が記憶されている記録媒体が備えられているので、その土産物をもらった人達が、画像情報や音声情報などで詳しい土産物情報や観光情報を入手することができ、従来の印刷による表示に比べて詳しい説明を、その土産物をもらった人達にわかりやすく行うことが可能となり、また、その土産物をもらった人達に対して、自分もその土産物を産する地域に旅行に行きたいという意欲を惹起させることができるという効果的があると共に、将来、その地域を旅行した際に、お土産としてもらったと同じ土産物の購入を行いたいと思わせる動機付けを与えることが期待でき、特定の土産物の販売促進と、その土産物を産する地域の観光客の増加を促進することができるという効果がある。
【００１４】
また、本発明の記録媒体付き土産物は、前記記録媒体を偏平状記録媒体とすることで、土産物を梱包した包装体内に嵩張らずに入れておくことができ、重量も軽いので違和感なく土産物の包装内に偏平状記録媒体を入れておけるという効果がある。
【００１５】
更に、本発明の記録媒体付き土産物は、偏平状記録媒体を、ＣＤ−ＲＯＭまたはＤＶＤとすることで、多くの情報量を記憶させておくことができ、より詳しい土産物情報や土産物を産する特定の地域に関する観光情報を記憶させて、提供することが可能となるという効果がある。
特に、ＤＶＤでは、映像（動画）情報を記憶できるので、テレビで土産物情報や土産物を産する特定の地域に関する観光情報を見て楽しみながら、土産物を食べるなどすることができ、土産物の美味しさと相まって、その土産物を産する特定の地域を旅行する意欲を惹起させる可能性が高く、高い伝達効果が期待できる。
【発明を実施するための最良の形態】
【００１６】
以下、図面を参照しながら本発明の実施形態を詳述する。
図１は、本発明の実施形態に係る記録媒体付き土産物の外観の斜視図、図２は、本発明の実施形態に係る記録媒体付き土産物の上箱を開いた状態を示す斜視図、図３は、本発明の実施形態に係る記録媒体付き土産物の仕組みを説明する図、図４は、本発明の実施形態に係る記録媒体付き土産物の記録媒体に記録された土産物情報を表示した場合の一例を示す図、図５は、本発明の実施形態に係る記録媒体付き土産物の記録媒体に記録された観光情報を表示した場合の一例を示す図である。
【００１７】
本発明の記録媒体付き土産物は、観光場所や温泉地などの特定の地域において、お土産として販売される各種の土産物に適応される。
これらの土産物としては、例えば、饅頭等の和菓子類、ケーキ等の洋菓子類、蕎麦やうどんなどの麺類、漬物等の惣菜類、などの食品や、酒、ジュースなどの飲み物類や、こけし、熊、などの木彫り細工品、などの他、種々の土産物がある。
【００１８】
本発明の実施形態に係る記録媒体付き土産物１は、図１及び図２に示すように、箱根で販売されている饅頭を一例として説明する。
実施形態に係る記録媒体付き土産物１は、例えば、箱根という特定の地域の土産物である饅頭２を、包装体である包装箱３内に包装して、土産物店などの店頭に陳列し観光客に販売している。
包装体である包装箱３には、更にその外側を透明フィルムで覆ったり、また包装紙などで包んだりして、汚れを防止したり、また商品のイメージアップを図るための装飾効果を考慮した種々の包装を施すようにしてもよい。
包装箱３は、下箱３ａの上側に上箱３ｂが重ねられた状態で包装されていて、図２に示すように、上箱３ｂを上方に持ち上げることで下箱３ａ内に置かれている饅頭２を取り出して食べることができるようにしてある。
【００１９】
また、下箱３ａから上箱３ｂを開けた状態とした際に、下箱３ａ内に置かれた複数の饅頭２の上側に記憶媒体４がセットされている。
この記憶媒体４は、汚れが付いたり、傷が付くことを防止するために、包装カバー５の中に入れられた状態で包装箱３内にセットしておくのが好ましい。
記憶媒体４としては、特にＣＤ−ＲＯＭまたはＤＶＤなどの外形が薄く平らである偏平状記録媒体を用いることが好ましい。
これは、ＣＤ−ＲＯＭまたはＤＶＤなどの偏平状記録媒体であれば、包装体である包装箱３内に入れた場合でも、嵩張らず重量も軽いという利点があると共に、従来において包装箱などに入れていた商品説明などの印刷物と比較して違和感がないので好ましい。
【００２０】
また、特にＣＤ−ＲＯＭやＤＶＤは、記憶容量が大きいので、記憶させたい情報が沢山ある場合でも適応でき、ＣＤ−ＲＯＭには、音声情報や静止画像情報として情報を提供することができ、また、ＤＶＤにおいては、動画情報により情報を伝達することができるので、よりリアリティーのある情報を伝達でき、見た者に対して印刷物を比べてはるかにわかりやすく効果的な印象を与えることができるという効果がある。
【００２１】
この記憶媒体４には、土産物に関する情報や土産物を産する特定の地域に関する観光情報などが記憶されおり、記憶媒体４に土産物に関する情報または土産物を産する特定の地域に関する観光情報のいずれか一方の情報を記憶させてもよいし、土産物に関する情報と共に土産物を産する特定の地域に関する観光情報などを記憶させるようにしてもよく、それらは必要に応じて任意に選択すればよい。
【００２２】
ここで、記憶媒体４に記憶させる土産物に関する情報とは、例えば、土産物の商品の生い立ち、製造方法、効用、種類、製造者の紹介、購入者の感想、などの情報がある。
また、記憶媒体４に記憶させる土産物を産する特定の地域に関する観光情報としては、その土産物が販売される地域の旅館やホテルなどの宿泊施設情報、その地域にある美術館等の観光施設、遊園地やスポーツ施設等のレジャー施設、有名な景色や風景を有する場所等の観光名所情報、などの情報がある。
例えば、箱根の場合における観光名所情報としては、箱根の関所、大文字焼き、などがある。
【００２３】
本発明の実施形態に係る記録媒体付き土産物１を製造する際のプロセスや流通の仕組みの一例を図３に基づいて説明する。
まず、例えば箱根にある旅館やホテルなどの宿泊施設６や、遊園地やスポーツ施設等のレジャー施設７は、箱根で販売する土産物を製造しているお土産物製造会社８に対し、土産物の観光客に広告してほしいと希望する施設情報について、土産物に梱包する記録媒体に記憶させて販売してほしいとの依頼を行う。
【００２４】
この広告依頼の際には、土産物に梱包する記録媒体がＣＤ−ＲＯＭを使用するのか、またはＤＶＤを使用するのかなどにより、広告方法が異なるが、いずれにしても広告媒体となる記録媒体の仕様に適合する広告情報により広告依頼を行う。
また、記録媒体に記憶させる広告情報は、広告依頼者側において作製しても、お土産物製造会社側において作製してもよく、また、専門の広告会社に依頼して作製してもらうようにしてもいずれであってもよい。
更に、お土産物製造会社が、自社の商品を宣伝するために、土産物の商品の生い立ち、製造方法、効用、種類、製造者の紹介、購入者の感想、などの土産物情報を広告情報と合わせて記録媒体に記憶するようにしてもよい。
【００２５】
そして、それらの広告情報が記憶されたＣＤ−ＲＯＭやＤＶＤなどの記録媒体は、お土産物製造会社が土産物を製造する段階において、土産物の梱包工程で土産物内に入れられて包装が行われる。
これらの記録媒体付き土産物１は、土産物店などの店頭に陳列されて観光客に販売される。
記録媒体付き土産物１を購入した観光客９は、帰宅後にお土産として友人や御近所の人や会社の同僚などの観光客の関係者１０に、それらの記録媒体付き土産物１を配る。
【００２６】
それらの記録媒体付き土産物１を頂いた人は、梱包を開けた際に、その中にＣＤ−ＲＯＭやＤＶＤなどの記録媒体があることに気づいて、ＣＤ−ＲＯＭプレーヤーやＤＶＤプレーヤーによりＣＤ−ＲＯＭやＤＶＤなどをセットして、記憶媒体に記憶されている宿泊施設やレジャー施設に関する広告情報や、土産物情報を聞いたり、見たりすることで、その土産物が販売されている地域に対する関心が深まり、将来、自分のその地域へ観光して、その土産物を買ってこようとの思いが生ずることが期待できる。
【００２７】
図４には、本発明の実施形態に係る記録媒体付き土産物の記録媒体１において、ＤＶＤに記録された土産物情報をディスプレイ１１に表示させた場合の一例が示されている。
図４のディスプレイ１１には、図１及び図２で説明した箱根の饅頭に関する土産物の紹介の情報１２が表示されている。
また、ディスプレイ１１は、土産物の紹介の情報が表示された後に、続いて箱根観光の穴場情報１３として、箱根の旅館やホテルなどの宿泊施設情報、美術館等の観光施設、遊園地やスポーツ施設等のレジャー施設、有名な景色や風景を有する場所等の観光名所情報、などの情報が順次表示されるようにしてある。
【００２８】
これにより、箱根を観光した者からその土産物を頂いた人に対して、ディスプレイ１１に表示された映像を見てもらうことで、箱根への興味を深めてもらうと共に、具体的にどのような宿泊施設に泊まり、どこ観光名所を見て、どこのレジャー施設で遊んだらよいかといった行動イメージを与えることができる。
更に、頂いた土産物に対しても、土産物の情報を得ることで親近感が沸き、また自分がこのようにして楽しい旅ができたのも、記録媒体付き土産物１を頂いたからだとの思いから、自分も同様に記録媒体付き土産物１をお土産として購入しようと思うことが期待できる。
【００２９】
また、ＣＤ−ＲＯＭに記憶しておく土産物を産する特定の地域に関する観光情報は、土産物を産する特定の地域の地図に、観光名所などの位置をマークしておき、そのマークをクリックすることで、クリックした観光名所に関する画像や詳しい説明を表示できるように構成して記憶させるなど、工夫した構成の情報を記憶させておくことが好ましい。
【図面の簡単な説明】
【００３０】
【図１】本発明の実施形態に係る記録媒体付き土産物の外観の斜視図である。
【図２】本発明の実施形態に係る記録媒体付き土産物の上箱を開いた状態を示す斜視図である。
【図３】本発明の実施形態に係る記録媒体付き土産物の仕組みを説明する図である。
【図４】本発明の実施形態に係る記録媒体付き土産物の記録媒体に記録された土産物情報を表示した場合の一例を示す図である。
【図５】本発明の実施形態に係る記録媒体付き土産物の記録媒体に記録された観光情報を表示した場合の一例を示す図である。
【符号の説明】
【００３１】
１  記録媒体付き土産物
２  饅頭
３  包装箱
３ａ  下箱
３ｂ  上箱
４  記憶媒体
５  包装カバー
６  宿泊施設
７  レジャー施設
８  お土産物製造会社
９  観光客
１０  観光客の関係者
１１  ディスプレイ
１２  土産物の紹介の情報
１３  観光の穴場情報
【図１】
2005225519.tif 000003
【図２】
2005225519.tif 000004
【図３】
2005225519.tif 000005
【図４】
2005225519.tif 000006
【図５】
2005225519.tif 000007